(57)【要約】【課題】  スライドレールキットに配置される搭載物のラックのラック柱への取り付けに適用されるブラケットデバイスを提供する。【解決手段】  ブラケットデバイスはスライドレールキット２２に配置される搭載物２０のラック２４のラック柱３０ａ、３０ｂへの取り付けに適用される。ブラケットデバイスはブラケット４４及び嵌着部材４６を有する。ブラケット４４はスライドレールキット２２に連結し、ブラケット４４は縦方向壁４８、縦方向壁４８に直交となるよう連結されている端壁５０を有する。端壁５０は少なくとも一つの取付部材５６によりラック２４のラック柱３０ａ、３０ｂに取り付けられ、嵌着部材４６はブラケット４４に配置され、リリース可能に搭載物２０の所定部位に嵌着される。【選択図】  図２
2016209540.tif 000002
【特許請求の範囲】
【請求項１】
スライドレールキットに配置される搭載物をラックのラック柱に取り付けるのに適用されるブラケットデバイスであって、
ブラケットおよび嵌着部材を備え、
前記ブラケットは、前記スライドレールキットに連結し、縦方向壁、および、前記縦方向壁と直交となるよう連結されている端壁を有し、前記端壁が、少なくとも一つの取付部材により、前記ラックの前記ラック柱に取り付けられており、
前記嵌着部材は、前記ブラケットに配置ており、リリース可能に前記搭載物の所定部位に嵌着されていることを特徴とするブラケットデバイス。
【請求項２】
弾性を保持しつつ前記嵌着部材に設置されている第一弾性部材をさらに備え、
前記嵌着部材は、前記搭載物の前記所定部位に相対し、嵌着位置とロック解除位置とのいずれかに位置していることを特徴とする請求項１に記載のブラケットデバイス。
【請求項３】
ベースをさらに備え、
前記ブラケットの前記縦方向壁は、前記ベースに対応する窓口をさらに有し、
前記第一弾性部材は、前記ベースと前記嵌着部材との間に配置されていることを特徴とする請求項２に記載のブラケットデバイス。
【請求項４】
前記嵌着部材は、前記窓口に対応する操作部をさらに有することを特徴とする請求項３に記載のブラケットデバイス。
【請求項５】
前記搭載物は、前記所定部位に係止部を有し、
前記嵌着部材は、嵌着部を有し、リリース可能に前記搭載物の係止部に嵌着されていることを特徴とする請求項１に記載のブラケットデバイス。
【請求項６】
前記ブラケットの前記縦方向壁に可動的に連結されているフック部材をさらに備え、
前記フック部材は、本体部、及び前記本体部に横方向に連結されているフック部を有し、前記フック部が前記ラックの前記ラック柱に対応していることを特徴とする請求項１に記載のブラケットデバイス。
【請求項７】
第二弾性部材をさらに備え、
前記ブラケットの前記縦方向壁は、少なくとも一つの耳部を有し、
前記フック部材は、連結部材により、少なくとも一つの前記耳部に枢接されており、
前記第二弾性部材は、弾性を保持しつつ前記フック部材に設置されていることを特徴とする請求項６に記載のブラケットデバイス。
【請求項８】
前記嵌着部材は、空間をさらに有し、
前記フック部材の前記フック部は、前記嵌着部材の前記空間を貫通することを特徴とする請求項６に記載のブラケットデバイス。
【請求項９】
スライドレールキットをラックのラック柱に取り付けるのに適用されるブラケットデバイスであって、
ブラケットおよび嵌着部材を備え、
前記スライドレールキットは、第一レール、前記第一レールに相対し縦方向に移動する第二レール、および、前記第二レールに配置されている搭載物を有し、
前記ブラケットは、前記スライドレールキットの前記第一レールに連結されており、縦方向壁、および、前記縦方向壁に直交となるよう連結されている端壁を有し、
前記端壁は、少なくとも一つの取付部材により、前記ラックの前記ラック柱に取り付けられており、
前記嵌着部材は、前記ブラケットに操作可能に取り付けられており、
前記第二レールが前記第一レールに相対し所定位置に位置すると、前記嵌着部材は、前記搭載物の所定部位に嵌着され、
前記嵌着部材が操作されると、前記嵌着部材は、前記搭載物の前記所定部位からロック解除され離脱し、
前記第二レールは、前記第一レールに相対し、前記所定位置から延伸方向へと移動することを特徴とするブラケットデバイス。
【請求項１０】
ブラケットおよび嵌着部材を備え、
前記ブラケットは、縦方向壁、および、前記縦方向壁に直交となるよう連結されている端壁を有し、端壁が少なくとも一つの取付部材を連結し、
前記嵌着部材は、操作可能に、前記ブラケットの前記縦方向壁に配置されており、操作されると、第一位置から前記縦方向壁に相対する横方向の第二位置まで移動することを特徴とするブラケットデバイス。
【発明の詳細な説明】
【技術分野】
【０００１】
本発明はブラケットデバイスに関し、特にスライドレールキットに配置される搭載物のラックのラック柱への取り付けに適用され、且つ搭載物を所定位置に選択的に保持することができるブラケットデバイスに関する。
【背景技術】
【０００２】
ラック式システムの先行技術では、特許文献１に示すとおり、複数のシャーシ１０５、１１０、１１５が一対のスライドレールキットによりラック１０１にそれぞれ取り付けられる。
各スライドレールキットは、ラックスライドレール１２０とシャーシスライドレール１２２とを有する。
ラックスライドレール１２０は、ラックに設置され、シャーシスライドレール１２２は、シャーシ１０５、１１０、１１５に設置される。
【０００３】
特許文献１の一実施形態において、シャーシにはハンドル３０１、保持装置３０７を配し、保持装置３０７は、ラックの直立部材１３０の孔１３３を貫通し、且つ保持装置３０７は、保持面３０９によりラックの直立部材１３０の後側に保持される。
これにより、シャーシはラック１０１に固定される。
また、ハンドル３０１上のトリガー部材３２２により、保持装置３０７は、ラックの直立部材１３０からロック解除される。
【先行技術文献】
【特許文献】
【０００４】
【特許文献１】米国特許第ＵＳ６１８１５４９Ｂ１号明細書
【特許文献１】米国特許第ＵＳ６８８３８８４Ｂ２号明細書
【発明の概要】
【発明が解決しようとする課題】
【０００５】
本発明は、搭載物を所定位置に選択的に保持することができるブラケットデバイスを提供する。
【課題を解決するための手段】
【０００６】
本発明によるブラケットデバイスは、スライドレールキットに配置される搭載物のラックのラック柱への取り付けに適用される。
ブラケットデバイスは、ブラケット及び嵌着部材を有する。
ブラケットは、スライドレールキットに連結する。
ブラケットは、縦方向壁、縦方向壁に直交となるよう連結されている端壁を有する。
端壁は、少なくとも一つの取付部材により、ラックのラック柱に取り付けられる。
嵌着部材はブラケットに配置され、リリース可能に搭載物の所定部位に嵌着される。
【０００７】
本発明によるブラケットデバイスは、スライドレールキットのラックのラック柱への取り付けに適用される。
スライドレールキットは、第一レール、第一レールに相対し縦方向に移動する第二レール、第二レールに配置される搭載物を有する。
ブラケットデバイスは、ブラケット及び嵌着部材を有する。
ブラケットは、スライドレールキットの第一レールに連結する。
ブラケットは、縦方向壁、縦方向壁に直交となるよう連結されている端壁を有し、端壁は、少なくとも一つの取付部材により、ラックのラック柱に取り付けられる。
嵌着部材は、操作可能に、ブラケットに配置される。
第二レールが第一レールに相対し所定位置に位置されると、嵌着部材は、搭載物の所定部位に嵌着される。
嵌着部材が操作されると、嵌着部材は搭載物の所定部位からロック解除され離脱し、これにより、第二レールは、第一レールに相対し、所定位置から延伸方向へと移動する。
【０００８】
本発明によるブラケットデバイスは、ブラケット及び嵌着部材を有する。
ブラケットは、縦方向壁、縦方向壁に直交となるよう連結されている端壁を有し、端壁は、少なくとも一つの取付部材を連結する。
嵌着部材は、操作可能に、ブラケットの縦方向壁に配置され、且つ操作されると、嵌着部材は第一位置から縦方向壁に相対し、横方向に第二位置まで移動する。
【０００９】
本発明によるブラケットデバイスにおいて、ブラケットの縦方向壁は、窓口をさらに有し、且つブラケットデバイスは、窓口に対応するベースをさらに有する。
弾性部材は、ベースと嵌着部材との間に配置され、弾性を保持し、嵌着部材に設置される。
これにより、嵌着部材は、搭載物の所定部位に相対し、嵌着位置とロック解除位置とのいずれかに位置される。
嵌着部材は、操作部をさらに有し、窓口に対応し、且つ操作される。
【００１０】
本発明によるブラケットデバイスにおいて、搭載物の所定部位は、係止部を有し、嵌着部材は、嵌着部を有し、リリース可能に搭載物の係止部に嵌着される。
【００１１】
本発明によるブラケットデバイスは、フック部材をさらに有し、連結部材により可動するように連結され、例えばブラケットの縦方向壁の少なくとも一つの耳部に枢接される。
且つフック部材は、本体部、及び本体部におおよそ横方向に連結するフック部を有し、且つラックのラック柱に対応する。
フック部材のフック部は、嵌着部材の空間を貫通し、且つブラケットデバイスは、もう一つの弾性部材を有し、フック部材に弾性を保持して設置される。
【００１２】
本発明の実施形態は、ブラケットデバイスにより搭載物を所定位置に選択的に保持する効果を有する。
【図面の簡単な説明】
【００１３】
【図１】本発明一実施形態のブラケットデバイスをスライドレールキットに配置する搭載物のラックへの取り付けに適用する様子を示す模式図である。
【図２】本発明一実施形態のブラケットデバイスがスライドレールキットをラック柱に取り付け、且つブラケットデバイスの嵌着部材が搭載物の所定部位に対応する様子を示す図である。
【図３】本発明一実施形態のブラケットデバイスにおいてブラケットデバイスのブラケットがスライドレールキットに連結する様子を示す分解模式図である。
【図４】本発明一実施形態のブラケットデバイスをラック柱に取り付ける模式図であり、弾性部材が嵌着部材とベースとの間に取り付けられ、且つ弾性部材がフック部材を貫通する様子を示す。
【図５】本発明一実施形態のブラケットデバイスの嵌着部材が搭載物の所定部位に対応する様子を示す模式図で、嵌着部材が搭載物の所定部位に嵌着することを示す。
【図５ａ】図５の断面図（一）である。
【図５ｂ】図５の断面図（二）である。
【図６】図５の嵌着部材が操作され、搭載物の所定部位とロック解除されて離脱する様子を示す模式図である。
【図６ａ】図６の断面図（一）である。
【図６ｂ】図６の断面図（二）である。
【図７】図６の搭載物が第二レールにより延伸方向へと第一レールに相対して引き出される様子を示す模式図である。
【発明を実施するための形態】
【００１４】
（一実施形態）
本発明の一実施形態によるブラケットデバイスを図面に基づいて説明する。
図１に示すとおり、本発明一実施形態の搭載物２０は、一対のスライドレールキット２２によりラック（ｒａｃｋ）２４の複数のラック柱に取り付けられる。
具体的には、各スライドレールキット２２の両部位は、ブラケットデバイス２６ともう一つのブラケットデバイス２８にそれぞれ設置される。
これにより、各スライドレールキット２２は、ブラケットデバイス２６ともう一つのブラケットデバイス２８により、ラック２４の一対のラック柱３０ａと３０ｂに取り付けられる。
【００１５】
各スライドレールキット２２は、第一レール３２、第一レール３２に相対し縦方向に移動する第二レール３４を有する。
好ましくは、第一レール３２と第二レール３４との間に縦方向に可動するように連結される第三レール３６をさらに有し、これにより第二レール３４の第一レール３２に対する移動行程を延長することができる。
搭載物２０は、スライドレールキット２２の第二レール３４に配置され、これにより搭載物２０は第二レール３４により第一レール３２に対して移動し、ラック２４内からラック２４外へと移動する。
或いは、ラック２４外からラック２４内へと引き入れられる。
【００１６】
図２に示すとおり、搭載物２０は、部位３８を有する。
部位３８は、搭載物２０に直接一体成型され、或いは部位３８は、搭載物２０に間接的に形成されるが、実施においてはこれに制限されない。
好ましくは、部位３８は、開口４０と係止部４２を有する。
ここでは、係止部４２は、開口４０に隣接することを例とする。
【００１７】
配合図３に示すとおり、ブラケットデバイス２６は、ブラケット４４、嵌着部材４６を有する。
ブラケット４４は、スライドレールキット２２の第一レール３２に連結する。
具体的には、ブラケット４４は、縦方向壁４８、縦方向壁４８に直交となるよう連結されている端壁５０、及び取付キット５２を有する。
取付キット５２は、ベース５４及び少なくとも一つの取付部材５６を有する。
ベース５４は、端壁５０に隣接するように固定して取り付けられる。
少なくとも一つの取付部材５６は、ベース５４に取り付けられ、一部分が延伸し端壁５０を超過する。
少なくとも一つの取付部材５６により、ラック柱３０ａに取り付け、これによりブラケット４４はラック柱３０ａに設置される。
好ましくは、縦方向壁４８は、窓口５８、窓口５８に隣り合うように配置される穿孔６０、及び少なくとも一つの耳部６２を有し、且つベース５４の一部分は、窓口５８に対応する。
【００１８】
嵌着部材４６は、操作可能に、ブラケット４４の縦方向壁４８に配置される。
好ましくは、嵌着部材４６は、操作部６４と嵌着部６６を有する。
操作部６４は、窓口５８に対応し操作される。
嵌着部６６は、ブラケット４４の穿孔６０に対応する。
本実施形態において、弾性部材６８は、弾性を保持した状態で、嵌着部材４６に設置される。
【００１９】
図５、図５ａ、図５ｂに示すとおり、弾性部材６８は、嵌着部材４６とベース５４との間に配置され、嵌着部材４６に弾力を提供する。
よって、嵌着部材４６は弾力に反応し、嵌着部６６はブラケット４４の穿孔６０を通過し、且つ搭載物２０の係止部４２と相互に嵌着する。
【００２０】
図６、図６ａ、図６ｂに示すとおり、操作部６４の操作に反応し、嵌着部材４６の嵌着部６６は、搭載物２０の係止部４２から離れロック解除される。
【００２１】
図３、図４に示すとおり、好ましくは、ブラケットデバイス２６は、ブラケット４４の縦方向壁４８に可動するように連結するフック部材７０をさらに有する。
フック部材７０は、本体部７２、及び本体部７２におおよそ横方向に連結するフック部７４を有する。
フック部材７０は、連結部材７６により少なくとも一つの耳部６２に枢接され、且つ弾性部材７８を通して弾性を保持しフック部材７０に設置される。
これにより、フック部材７０は弾性部材７８が生じる弾力に反応し、把持力を有する。
【００２２】
好ましくは、嵌着部材４６は、空間８０を有し、フック部材７０のフック部７４は通過して延伸し、ブラケット４４の端壁５０を超過する。
これにより、少なくとも一つの取付部材５６によりラック柱３０ａに取り付けられ、及びフック部７４は、ラック柱３０ａに対応して嵌着する。
こうして、ブラケット４４は、ラック柱３０ａ上に確実に設置され定位される。
フック部材７０は、弾性部材６８を通す取付孔８２を有する。
また、フック部材７０が、連結部材７６により少なくとも一つの耳部６２に枢接されると、フック部材７０のフック部７４は、ラック柱３０ａの表面８４に対応する。
例えば、フック部７４は、ラック柱３０ａの表面８４に係止或いは接触し、ブラケットデバイスのラック柱３０ａ上への取付の信頼性を向上させることができる。
【００２３】
図１と図５、図５ａ、図５ｂに示すとおり、第二レール３４が第一レール３２に相対し閉位置などの位置に位置されると、搭載物２０の部位３８の開口４０は、嵌着部材４６の操作部６４に対応する。  
嵌着部材４６の嵌着部６６は、搭載物２０の部位３８の係止部４２に嵌着される。
つまり、弾性部材６８により、嵌着部材４６は搭載物２０の部位３８に相対し、第一位置Ｐ１（或いは嵌着位置）を保持することができる。
【００２４】
図６、図６ａ、図６ｂに示すとおり、嵌着部材４６の操作部６４が操作されると（押されるなど）、嵌着部材４６の嵌着部６６は、この操作に反応し、搭載物２０の部位３８の係止部４２からロック解除されて離脱する。
つまり、嵌着部材４６は、搭載物２０の部位３８に相対し、第一位置Ｐ１（或いは嵌着位置）からブラケット４４の縦方向壁４８に対応し、横方向に第二位置Ｐ２（或いはロック解除位置）まで移動する。
【００２５】
図７に示すとおり、嵌着部材４６が搭載物２０の部位３８に相対し、第二位置Ｐ２まで移動すると、第二レール３４は第一レール３２に相対し、延伸方向Ｄへと移動する。
これにより、搭載物２０は、第二レール３４により、第一レール３２に相対して引き出される。
【００２６】
本発明の実施形態は前述したとおりであるが、前述は本発明に制約を加えるものではない。よって、本発明の保護される範囲は、特許請求の範囲を基準とすることをここに明記する。
【符号の説明】
【００２７】
２０  搭載物、
２２  スライドレールキット、
２４  ラック、
２６  ブラケットデバイス、
２８  もう一つのブラケットデバイス、
３０ａ、３０ｂ  ラック柱、
３２  第一レール、
３４  第二レール、
３６  第三レール、
３８  部位（所定部位）、
４０  開口、
４２  係止部、
４４  ブラケット、
４６  嵌着部材、
４８  縦方向壁、
５０  端壁、
５２  取付キット、
５４  ベース、
５６  取付部材、
５８  窓口、
６０  穿孔、
６２  耳部、
６４  操作部、
６６  嵌着部、
６８  弾性部材（第一弾性部材）、
７０  フック部材、
７２  本体部、
７４  フック部、
７６  連結部材、
７８  弾性部材（第二弾性部材）、
８０  空間、
８２  取付孔、
８４  表面、
Ｄ  延伸方向、
Ｐ１  第一位置、
Ｐ２  第二位置。
【図１】
2016209540.tif 000003
【図２】
2016209540.tif 000004
【図３】
2016209540.tif 000005
【図４】
2016209540.tif 000006
【図５】
2016209540.tif 000007
【図５ａ】
2016209540.tif 000008
【図５ｂ】
2016209540.tif 000009
【図６】
2016209540.tif 000010
【図６ａ】
2016209540.tif 000011
【図６ｂ】
2016209540.tif 000012
【図７】
2016209540.tif 000013